(57)【要約】【課題】美観性を向上し得るとともに、組み付け性の良い棚板用支持具、及びこれを備えた飾り棚を提供する。【解決手段】取付対象ｗに棚板２を取付けるために、該取付対象に取付け固定される棚板用支持具１であって、前記棚板の一端部２ａを支持する支持部１１，１２，１３、及び該支持部から垂設され、固定止具ｔｓを介して前記取付対象に取付け固定される取付片部１５を有した支持具本体１０と、前記固定止具を隠蔽するためのカバー体２０とを備え、前記支持具本体及び前記カバー体のうちのいずれか一方には、弾性係止体３０が取付けられ、他方には、該弾性係止体に対応させた係止部１７，１７が設けられており、該弾性係止体を該係止部に係止させて、前記カバー体を前記支持具本体に装着する構造とされている。【選択図】図１
2010115381.tif 000002
【特許請求の範囲】
【請求項１】
取付対象に棚板を取付けるために、該取付対象に取付け固定される棚板用支持具であって、
前記棚板の一端部を支持する支持部、及び該支持部から垂設され、固定止具を介して前記取付対象に取付け固定される取付片部を有した支持具本体と、前記固定止具を隠蔽するためのカバー体とを備え、
前記支持具本体及び前記カバー体のうちのいずれか一方には、弾性係止体が取付けられ、他方には、該弾性係止体に対応させた係止部が設けられており、該弾性係止体を該係止部に係止させて、前記カバー体を前記支持具本体に装着する構造とされていることを特徴とする棚板用支持具。
【請求項２】
請求項１において、
前記弾性係止体は、前記係止部に対して、前記取付対象面に略垂直となる方向に沿って係止する構造とされていることを特徴とする棚板用支持具。
【請求項３】
請求項１または２において、
前記支持部は、前記棚板の一端部の上下面にそれぞれ当接され、該一端部を挟むように支持する上辺部及び下辺部を有しており、
前記カバー体は、前記下辺部の前端面及び両側端面、並びに前記取付片部の両側端面及び下端面を覆い隠すように隠蔽する構造とされていることを特徴とする棚板用支持具。
【請求項４】
請求項３において、
前記支持部の下辺部の前端部及び該前端部に対応する前記カバー体の部位には、相互の上下位置を位置決めし、互いに係合する係合部がそれぞれ設けられていることを特徴とする棚板用支持具。
【請求項５】
請求項１乃至４のいずれか１項に記載された棚板用支持具と、該棚板用支持具によって支持されて取付対象に取付けられる棚板とを備えていることを特徴とする飾り棚。
【請求項６】
請求項５において、
前記棚板は、矩形板状の棚板基材を備えており、該棚板基材の上面、前端面及び下面には、これらの全面に亘って一枚からなる合成樹脂化粧シートが貼着されていることを特徴とする飾り棚。
【発明の詳細な説明】
【技術分野】
【０００１】
本発明は、取付対象に棚板を取付けるために、該取付対象に取付け固定される棚板用支持具、及びこれを備えた飾り棚に関する。
【背景技術】
【０００２】
上記のような飾り棚（インテリアカウンター）としては、住居等の建物の内壁面等の取付対象に対して、棚板を取付けるための棚板用支持具を取付け固定し、該棚板用支持具によって該棚板を固定支持させる構成とされたものが知られている。
上記棚板用支持具としては、簡易なものでは、Ｌ字状の金具とされたものが知られている。このＬ字状の金具を用いて棚板を固定支持する構造とされた飾り棚においては、該金具の一辺部を木ねじ等の固定止具によって壁面に固定し、その他辺部に棚板を載置して、該棚板の裏面に該他辺部を介して固定止具をねじ込んで棚板を固定支持する態様とされている。
【０００３】
上記のようなＬ字状の金具では、固定止具等が露出し、美観性の良いものではなかった。
そこで、棚板用支持具の美観性を高めるために種々の提案がなされている。
例えば、下記特許文献１では、棚板を支持する棚板支持部を有した本体ブロックと、該本体ブロックの適所に開設された挿通孔に挿通された壁面固定用のビス及び端部挟持用のネジを覆い隠すために、該本体ブロックに被着されるカバー体とを備えた棚板支持具が提案されている。
【０００４】
上記カバー体は、下端面に穿設された貫通孔に下方からネジを挿通するとともに、このネジを本体ブロックのネジ孔に螺合させることで、上記本体ブロックに被着されている。
また、該カバー体の外面は、本体ブロックの外面と略面一になり、また、貫通孔の孔縁には、ネジの頭部を収容するザグリが形成されているので、棚板支持具に一体感のある外観が現出できる、と説明されている。
【特許文献１】特開２００６−１６７３６２号公報（図１〜図３参照）
【発明の開示】
【発明が解決しようとする課題】
【０００５】
しかしながら、上記特許文献１に記載された棚板支持具では、上記本体ブロックへのカバー体の被着は、上述のように、下端面からネジを螺合するによって被着する構造とされているため、組み付け性の観点から更なる改善が望まれていた。また、下方から見た場合には、該ネジの頭部が露見してしまい、意匠性の観点からも更なる改善が望まれていた。
【０００６】
本発明は、上記実情に鑑みなされたものであり、美観性を向上し得るとともに、組み付け性の良い棚板用支持具、及びこれを備えた飾り棚を提供することを目的としている。
【課題を解決するための手段】
【０００７】
前記目的を達成するために、本発明に係る棚板用支持具は、取付対象に棚板を取付けるために、該取付対象に取付け固定される棚板用支持具であって、前記棚板の一端部を支持する支持部、及び該支持部から垂設され、固定止具を介して前記取付対象に取付け固定される取付片部を有した支持具本体と、前記固定止具を隠蔽するためのカバー体とを備え、前記支持具本体及び前記カバー体のうちのいずれか一方には、弾性係止体が取付けられ、他方には、該弾性係止体に対応させた係止部が設けられており、該弾性係止体を該係止部に係止させて、前記カバー体を前記支持具本体に装着する構造とされていることを特徴とする。
【０００８】
本発明に係る前記棚板用支持具においては、前記弾性係止体を、前記係止部に対して、前記取付対象面に略垂直となる方向に沿って係止させる構造としてもよい。
【０００９】
本発明に係る前記いずれかの棚板用支持具においては、前記支持部を、前記棚板の一端部の上下面にそれぞれ当接し、該一端部を挟むように支持する上辺部及び下辺部を有した支持部とし、前記カバー体を、前記下辺部の前端面及び両側端面、並びに前記取付片部の両側端面及び下端面を覆い隠すように隠蔽する構造のカバー体としてもよい。
上記構成とされた棚板用支持具においては、前記支持部の下辺部の前端部及び該前端部に対応する前記カバー体の部位に、相互の上下位置を位置決めし、互いに係合する係合部をそれぞれ設けるようにしてもよい。
【００１０】
本発明に係る飾り棚は、前記いずれかの棚板用支持具と、該棚板用支持具によって支持されて取付対象に取付けられる棚板とを備えていることを特徴とする。
本発明に係る前記飾り棚においては、前記棚板を、矩形板状の棚板基材を備えた構成とし、該棚板基材の上面、前端面及び下面に、これらの全面に亘って一枚からなる合成樹脂化粧シートを貼着するようにしてもよい。
【発明の効果】
【００１１】
本発明に係る前記棚板用支持具は、前記取付片部を取付対象に取付け固定するために止着される前記固定止具が、前記カバー体によって隠蔽されるので、該固定止具が露出するようなことがなく、美観性を向上させることができる。
また、前記カバー体は、前記弾性係止体を介して前記支持具本体に装着される構造とされているので、カバー体を支持具本体に取付けるためのネジ等が露出することがなく、美観性が向上されるとともに、支持具本体へのカバー体の組み付け性を向上させることができる。また、例えば、支持具本体とカバー体とを同材質の金属材とし、弾性係止体を合成樹脂材等とすることができる。これにより、カバー体を支持具本体に装着させる際に、スムーズに組み付けることができるとともに、支持具本体とカバー体との一体感が現出でき、美観性に優れたものとなる。
【００１２】
本発明に係る前記棚板用支持具において、前記弾性係止体を、前記係止部に対して、前記取付対象面に略垂直となる方向に沿って係止させる構造とすれば、棚板を支持具本体に固定支持させた後に、カバー体を支持具本体に組み付ける際にも、下方や斜め下方から係止させる態様とされたものと比べて、取付性が良く、組み付け性を向上させることができる。
【００１３】
本発明に係る前記いずれかの棚板用支持具において、前記支持部を、前記棚板の一端部の上下面にそれぞれ当接し、該一端部を挟むように支持する上辺部及び下辺部を有した支持部とし、前記カバー体を、前記下辺部の前端面及び両側端面、並びに前記取付片部の両側端面及び下端面を覆い隠すように隠蔽する構造のカバー体とすれば、以下のような効果を奏する。
すなわち、上記支持具本体の支持部の上辺部と下辺部とによって棚板の一端部を挟むように支持できるので、棚板の固定支持が強固になされる。
また、支持部の下辺部の前端面及び両側端面、並びに取付片部の両側端面及び下端面がカバー体によって隠蔽されるので、不透明な棚板を取付けた状態では、支持具本体とカバー体との接続面がほぼ見えず、当該棚板用支持具が一体物のような外観となり、上記したカバー体の装着構造と相俟って、より美観性を向上させることができる。
さらに、例えば、支持部の下辺部に固定止具等を止着して、棚板の一端部を固定支持する場合にも、該下辺部はカバー体によって隠蔽されるので、これら固定止具等の棚板の固定手段が露出せず、美観性を向上させることができる。
【００１４】
上記構成とされた棚板用支持具において、前記支持部の下辺部の前端部及び該前端部に対応する前記カバー体の部位に、相互の上下位置を位置決めし、互いに係合する係合部をそれぞれ設けるようにすれば、上記弾性係止体と上記係止部との係止に加えて、支持部の下辺部の前端部とカバー体の前端部との係合によって、上記支持具本体への上記カバー体の装着が強固になされ、ずれたり、外れたりするようなことを防止できる。
【００１５】
本発明に係る前記飾り棚は、前記いずれかの棚板用支持具と、該棚板用支持具によって支持されて取付対象に取付けられる棚板とを備えているので、上記したように、該棚板を取付対象に取付けるための棚板用支持具の美観性及び組み付け性が向上されるので、当該飾り棚の美観性及び施工性を向上させることができる。
【００１６】
本発明に係る前記飾り棚において、前記棚板を、矩形板状の棚板基材を備えた構成とし、該棚板基材の上面、前端面及び下面に、これらの全面に亘って一枚からなる合成樹脂化粧シートを貼着するようにすれば、例えば、上面、前端面及び下面のそれぞれに、化粧シート等を貼着したものと比べて、該化粧シートの境界部を減少させることができ、棚板の美観性を向上できる。また、例えば、上面及び下面にそれぞれ化粧シートを貼着し、前端面に端面用のエッジシート等を貼着する場合には、これらシートの境界部において、貼着誤差等が目立たないように、或いは剥離等が生じないように、前端面の縁部に大きな面取りを形成し、該面取り部にシートを貼着するような態様とされている場合があるが、本発明によれば、そのような必要がなく、該前端面の縁部の面取りを比較的、小さくすることもできる。
さらに、一枚からなる合成樹脂化粧シートを棚板基材の上面、前端面及び下面の全面に亘って貼着しているので、該棚板の表裏を問わず、施工することもでき、当該飾り棚の施工性を向上させることができる。
【発明を実施するための最良の形態】
【００１７】
以下に本発明の最良の実施の形態について、図面に基づいて説明する。
図１（ａ）〜（ｃ）は、いずれも本実施形態に係る棚板用支持具を模式的に示し、（ａ）は、概略側面図、（ｂ）は、（ａ）におけるＸ−Ｘ線矢視概略横断面図、（ｃ）は、概略斜視図、図２（ａ）、（ｂ）は、いずれも同棚板用支持具を模式的に示し、（ａ）は、概略正面図、（ｂ）は、（ａ）におけるＹ−Ｙ線矢視概略縦断面図、図３は、同棚板用支持具を模式的に示す一部分解概略側面図、図４（ａ）〜（ｄ）は、いずれも同棚板用支持具を模式的に示す分解図であり、（ａ）は、図３におけるＺ１から見た概略正面図、（ｂ）は、図３におけるＺ２から見た概略底面図、（ｃ）は、図３におけるＺ３から見た概略背面図、（ｄ）は、図３におけるＺ４から見た概略平面図である。
図５は、同棚板用支持具を備えた飾り棚の一例を模式的に示す一部透過概略斜視図、図６は、同飾り棚が備える棚板の一例を模式的に示し、図５におけるＷ−Ｗ線矢視概略縦断面図である。
尚、図５では、棚板用支持具の一部を、棚板を透過させて図示している。また、以下の実施形態で示す前後方向は、棚板の取付対象側を後方側として説明している。
【００１８】
本実施形態に係る飾り棚Ａは、図５に示すように、矩形板状の棚板２と、該棚板２を壁面ｗ（図１（ａ）参照）等の取付対象に取付けるために、該壁面ｗに取付け固定される２個一組の棚板用支持具１とを備えている。
上記棚板用支持具１は、図１に示すように、上記棚板２の後端部２ａを支持するとともに、木ねじｔｓ等の固定止具を介して上記壁面ｗに取付け固定される支持具本体１０と、該支持具本体１０に装着されるカバー体２０と、該カバー体２０に取付けられるとともに、上記支持具本体１０に設けられた後記する係止突条（係止部）１７，１７に係止する弾性係止体３０とを備えている。
【００１９】
上記支持具本体１０は、図１〜図４に示すように、上記棚板２の後端部２ａを支持する支持部を構成する上辺部１１、背部１２及び下辺部１３と、該下辺部１３の後端部から垂設された取付片部１５とを有している。
上記下辺部１３及び取付片部１５の左右方向に沿う幅は、図４（ａ）に示すように、後記するカバー体２０の両側壁カバー部２２，２２の厚みに合わせて、上記上辺部１１及び背部１２の左右方向に沿う幅よりも小さく形成されている。換言すれば、後記するように、カバー体２０が支持具本体１０に装着された状態では、図１（ｃ）及び図２（ａ），（ｂ）に示すように、カバー体２０の両側壁カバー部２２，２２の外面と、上記背部１２の両側端面とが略面一となり、該カバー体２０の両側壁カバー部２２，２２の上端面と、上記下辺部１３の上面とが略面一となるようにそれぞれ形成されている。
【００２０】
上記背部１２と上記取付片部１５とには、図４（ａ）に示すように、木ねじｔｓが挿通される挿通孔１２ａ，１５ａがそれぞれ開設されており、該背部１２の背面及び該取付片部１５の背面は、図２（ｂ）に示すように、垂直面とされて、上記壁面ｗに当接する。これら挿通孔１２ａ，１５ａの手前側の孔縁には、木ねじの頭部を収容するためのザグリが形成されている。
また、上記上辺部１１及び下辺部１３は、上記背部１２の上端部及び下端部からそれぞれ水平に延出するように形成され、これら上辺部１１と下辺部１３とによって上記棚板２の後端部２ａが挟まれるように支持される。また、該上辺部１１の下面が、上記棚板２の後端部２ａの上面に当接し、上記背部１２の手前面が該棚板２の後端面に当接し、上記下辺部１３の上面が該棚板２の後端部２ａの下面に当接する。
これら上辺部１１及び下辺部１３の背部１２から手前側への延出長さは、後記する棚板２の重量や棚板２に載置される載置物の許容荷重等に応じて、該棚板２の固定支持が可能なように適宜、設定される。また、上記背部１２の高さは、棚板２の厚みに応じて、適宜、設定される。
【００２１】
上記下辺部１３の水平部には、図４（ｂ）に示すように、棚板２の後端部２ａに下面側からねじ込まれる木ねじｔｓが挿通される挿通孔１３ａ，１３ａが二箇所に開設されている。これら挿通孔１３ａ，１３ａの下方側の孔縁には、上記同様のザグリが形成されている。
また、上記下辺部１３の前端部には、図２（ｂ）に示すように、前壁部１４が垂設され、該下辺部１３の両側端部には、側壁部１６，１６が垂設されており、これら前壁部１４及び両側壁部１６，１６と上記取付片部１５とによって、該下辺部１３の下面側には、下方に開口する空間が形成されている。
上記前壁部１４の手前面側及び上記両側壁部１６，１６の前端部のそれぞれ外側面側には、図３及び図４（ａ）に示すように、後記するカバー体２０の係合凸条（係合部）２５と係合する係合凹溝（係合部）１８が形成されている。この係合凹溝１８は、水平面域方向に沿って形成されており、上記前壁部１４の左右方向の全体に亘って形成されるとともに、その左右端部から連成されるように、上記両側壁部１６，１６のそれぞれ前端部に前後方向に沿って形成されている。
【００２２】
上記側壁部１６，１６は、図３に示すように、上記前壁部１４から上記取付片部１５に向けて徐々に下方に拡開するように形成されている。また、これら両側壁部１６，１６の内側面には、図４（ａ），（ｂ）に示すように、後記する弾性係止体３０が係止する係止突条１７，１７が、上下方向に沿って対向する位置にそれぞれ形成されている。
これら係止突条１７，１７は、本実施形態では、後記する弾性係止体３０の一対の係止片３２，３２の弾性変形を伴う係止の解除が容易になされるように、横断面が略山形状とされている。これにより、後記するカバー体２０は、支持具本体１０に対して容易に着脱自在となる。
【００２３】
上記カバー体２０は、図２（ｂ）及び図４（ｃ），（ｄ）に示すように、上記支持具本体１０の前壁部１４に対応させて形成された前カバー部２１と、上記支持具本体１０の両側壁部１６，１６に対応させて形成された側壁カバー部２２，２２と、これら前カバー部２１及び両側壁カバー部２２，２２の下端部に連成され、後方かつ下方に向けて傾斜するように形成された底部を覆う底カバー部２３とを有しており、これらによって、上方かつ後方に向けて開口する空間が形成されている。
【００２４】
上記前カバー部２１の背面及び側壁カバー部２２，２２の前端部両内側面には、上記係合凹溝１８に係合する係合凸条２５が水平面域方向に沿って形成されている。すなわち、該係合凸条２５は、上記係合凹溝１８に対応させて、上記前カバー部２１の左右方向の全体に亘って形成されるとともに、その左右端部から連成されるように、上記両側壁カバー部２２，２２のそれぞれ前端部の内側面に前後方向に沿って形成されている。
これらカバー体２０の係合凸条２５及び支持具本体１０の係合凹溝１８が、後記するように、カバー体２０を支持具本体１０に装着する際の案内手段として機能する。
【００２５】
上記カバー体２０を上記支持具本体１０に装着させた状態では、該支持具本体１０の上辺部１１及び上記背部１２の略全体、並びに、上記下辺部１３の上面及び上記取付片部１５の背面のみが露出する。換言すれば、上記カバー体２０は、該支持具本体１０の下辺部１３の前端面及び両側端面を含み、上記前壁部１４の手前面及び上記両側壁部１６，１６の外側面並びに、上記取付片部１５の両側端面及び下端面に、上記カバー体２０の各内側面が当接或いは近接して位置するように装着され、これらを覆い隠すように隠蔽する構造とされている。
また、該カバー体２０は、前カバー部２１及び側壁カバー部２２，２２のそれぞれ上端面が上記支持具本体１０の下辺部１３の上面と略面一となるよう支持具本体１０に装着されるとともに、側壁カバー部２２，２２及び底カバー部２３のそれぞれ後端面が上記支持具本体１０の取付片部１５の背面と略面一となるよう支持具本体１０に装着される。
【００２６】
上記底カバー部２３の傾斜面の内面側（上面側）には、図１（ｂ）、図２（ｂ）及び図４（ｄ）に示すように、後記する弾性係止体３０が取付け固定される取付基部２４が水平方向に沿って後方側に向けて延出するように設けられている。
上記取付基部２４には、図１（ｂ）に示すように、その先端部（背面側の端部）から基端部に向けて、後記する弾性係止体３０の一対の取付脚部３３，３３が圧入される一対の取付穴２４ａ，２４ａが水平方向に沿って穿設されている。
【００２７】
上記弾性係止体３０は、図１（ｂ）及び図４（ｄ）に示すように、上記取付基部２４の先端部に当接される基部３１と、該基部３１の背面の幅方向両側端部から後方側に向けて突設された一対の係止片３２，３２と、該基部３１の前面から手前側に向けて突設された取付脚部３３，３３とを有している。
上記一対の係止片３２，３２の先端部には、左右方向外方に向けて突出した係止爪部がそれぞれ形成されており、これら係止爪部が上記支持具本体１０の係止突条１７，１７に係止する。
また、上記取付脚部３３，３３が上記カバー体２０の取付穴２４ａ，２４ａに圧入されて、該弾性係止体３０がカバー体２０に取付け固定される。
【００２８】
上記構成とされた弾性係止体３０は、上記カバー体２０の上記した上方かつ後方に向けて開口する空間内に収容されており、該カバー体２０が上記支持具本体１０に装着された状態では、該弾性係止体３０は、露出することなく隠蔽される。
尚、上記カバー体２０への上記弾性係止体３０の取付け固定は、例えば、上記取付基部２４の取付穴２４ａ，２４ａにねじ切りして雌ねじ穴とし、該弾性係止体３０の基部３１にボルト挿通孔等を形成して、ボルト止めするようにしてもよい。或いは、上記したような取付穴２４ａ，２４ａ及び取付脚部３３，３３を設けずに、取付基部２４の先端部に、弾性係止体３０の基部３１を接着剤等によって固着させるようにしてもよい。
【００２９】
上記支持具本体１０及びカバー体２０は、剛性を有した材料で製されたものとすることが好ましく、それぞれ同一の金属材にて形成するようにしてもよい。例えば、アルミニウムや亜鉛等を材料として、鋳造成型したダイキャスト製等としてもよい。
本実施形態では、上記支持具本体１０及びカバー体２０は、同材質の金属材を鋳造成型したダイキャスト製とされており、これにより、寸法精度が良く、美観性に優れたものとなる。
また、上記弾性係止体３０は、ポリプロピレンや、ＡＢＳ、ポリエチレンテレフタレート、ポリカーボネート、ＰＰＳ等の合成樹脂系材料にて製されている。これにより、該弾性係止体３０は、その一対の係止片３２，３２の弾性変形を伴って、上記係止突条１７，１７への係止、及びその解除がスムーズになされる。
【００３０】
上記棚板２は、図５及び図６に示すように、矩形板状とされた棚板基材３と、該棚板基材３の上面３ａ、前端面３ｃ及び下面３ｂの全面に亘って貼着された一枚からなる合成樹脂製の表面化粧シート４と、該棚板基材３の両側端面にそれぞれ貼着された合成樹脂製の端部化粧シート５，５とを有している。
上記棚板基材３は、木質系材料からなり、例えば、無垢の木材を板状に加工したものや、集成材や合板、ＬＶＬ（単板積層材）、パーティクルボード、或いは、インシュレーションボードやＭＤＦ（Ｍｅｄｉｕｍ  Ｄｅｎｓｉｔｙ  Ｆｉｂｅｒｂｏａｒｄ、中質繊維板、中密度繊維板とも言う）等の木質繊維板、或いはこれらを積層し組み合わせた複合材料などを板状に加工したものとしてもよい。
【００３１】
上記表面化粧シート４及び端部化粧シート５，５は、オレフィン系樹脂などの合成樹脂系材料をシート状（フィルム状）に加工したもので、例えば、厚さが５０μｍ〜２．０ｍｍ程度の薄状のものであり、上記棚板基材３の上記各面に接着剤等で接着されている。
尚、上記棚板基材３の後端面にも端部化粧シートを貼着するようにしてもよい。また、端部化粧シートは、テープ状のエッジシート（木口テープ）としてもよい。
【００３２】
上記のように、本実施形態では、棚板２を、矩形板状の棚板基材３と、該棚板基材３の上面３ａ、前端面３ｃ及び下面３ｂの全面に亘って貼着された一枚の表面化粧シート４とを備えた構成としているので、例えば、上面、前端面及び下面のそれぞれに、化粧シート等を貼着したものと比べて、該化粧シートの境界部を減少させることができ、棚板２の美観性を向上できる。また、例えば、上面及び下面にそれぞれ化粧シートを貼着し、前端面に端面用のエッジシート等を貼着する場合には、これらシートの境界部において、貼着誤差等が目立たないように、或いは剥離等が生じないように、前端面の縁部に大きな面取りを形成し、該面取り部にシートを貼着するような態様とされている場合があるが、本実施形態によれば、そのような必要がなく、該前端面の縁部の面取りを比較的、小さくすることもできる。
さらに、一枚の表面化粧シート４を棚板基材３の上面３ａ、前端面３ｃ及び下面３ｂの全面に亘って貼着しているので、該棚板２の表裏を問わず、施工することもでき、飾り棚Ａの施工性を向上させることができる。
【００３３】
次に、上記構成とされた本実施形態に係る飾り棚Ａの壁面ｗへの施工工程の一例について図３に基づいて説明する。
まず、壁面ｗの棚板２を取付けたい高さ位置に、上記２個一組の棚板用支持具１の支持具本体１０を互いに水平方向に離間させて取付け固定する。具体的には、上記背部１２の挿通孔１２ａ及び上記取付片部１５の挿通孔１５ａのそれぞれに、木ねじｔｓを挿通し、壁面ｗにねじ込むことで、該支持具本体１０が壁面ｗに対して取付け固定される。
この際、壁面ｗの壁面材の背面側に縦桟や横桟等の下地桟が配置された位置に、木ねじｔｓがねじ込まれるように支持具本体１０を位置させることが好ましい。
【００３４】
上記のように壁面ｗに取付け固定された支持具本体１０に対して、棚板２を取付ける。
具体的には、棚板２の後端部２ａを、上記支持具本体１０の上辺部１１と下辺部１３との間に嵌め込むようにして、差し込み、該棚板２の後端面を背部１２に当接させる。
次いで、上記下辺部１３の挿通孔１３ａ，１３ａのそれぞれに、木ねじｔｓを挿通し、該棚板２の下面側から後端部２ａにねじ込むことで、該棚板２が支持具本体１０に固定支持される。
この状態では、上記支持具本体１０の下辺部１３の下面側に下方に向けて開口した上記空間は、開放されているので、上記各木ねじｔｓの頭部等が露出した状態である。
【００３５】
次いで、上記カバー体２０を上記支持具本体１０に装着する。
例えば、上記カバー体２０の前カバー部２１及び両側壁カバー部２２，２２の上端面を、上記のように支持具本体１０に固定支持された棚板２の下面に沿わせるようにして、壁面ｗ側（背面側）に向けて移動させ、該カバー体２０の後方に向けて開口した開口部から上記支持具本体１０の前壁部１４を受入れさせる。さらに、カバー体２０を壁面ｗに向けて移動させれば、該カバー体２０の両側壁カバー部２２，２２のそれぞれ内側面に設けられた上記係合凸条２５が、上記支持具本体１０の両側壁部１６，１６の前端部に設けられた上記係合凹溝１８に沿うように案内されて、カバー体２０を容易に支持具本体１０に対して位置決め、案内できる。
該カバー体２０をさらに壁面ｗ側に向けて移動させれば、該カバー体２０に取付け固定された上記弾性係止体３０の一対の係止片３２，３２の弾性変形を伴って、これら一対の係止片３２，３２が上記支持具本体１０の両側壁部１６，１６の内側面にそれぞれ設けられた上記係止突条１７，１７に係止し、該支持具本体１０へのカバー体２０の装着がなされる。
【００３６】
上記のように、施工された飾り棚Ａにおいては、図１（ａ）に示すように、棚板用支持具１の背面は、壁面ｗに当接して、露出せず、また、支持具本体１０の背部１２の手前面、下辺部１３の上面及びカバー体２０の上端面は、棚板２０の後端部２ａの後端面及び下面に当接して、露出せず、美観性に優れたものとなる。すなわち、上記棚板２の上方には、上記支持具本体１０の上辺部１１が露出し、該棚板２の下方には、カバー体２０が露出するような外観となり、これら支持具本体１０とカバー体２０との接続面は、ほぼ露出せず、美観性に優れたものとなる。
特に、該飾り棚Ａが目線よりも下方に施工されるものとすれば、該飾り棚Ａを上方から見た場合には、これら支持具本体１０とカバー体２０との接続面は、上方側には全く露見せず、美観性に優れたものとなる。これにより、上記したように、支持具本体１０とカバー体２０とを同材質のダイキャスト製からなるものとしたことと相俟って、これら支持具本体１０とカバー体２０との一体性が現出され、美観性に優れたものとなる。
【００３７】
以上のように、本実施形態に係る棚板用支持具１は、支持具本体１０を壁面ｗに取付け固定するための木ねじｔｓ及び支持具本体１０に棚板２を固定支持させるための木ネジｔｓは、上記カバー体２０に隠蔽され、露出するようなことがなく、美観性を向上させることができる。
また、上記カバー体２０は、前記弾性係止体３０を介して上記支持具本体１０に装着される構造とされているので、カバー体２０を支持具本体１０に取付けるためのネジ等が露出することがなく、美観性を向上させることができるとともに、支持具本体１０へのカバー体２０の組み付け性を向上させることができる。
特に、本実施形態では、支持具本体１０とカバー体２０とを同材質のダイキャスト製からなるものとし、弾性係止体３０を合成樹脂製のものとしているので、カバー体２０を支持具本体１０に装着させる際に、スムーズに組み付けることができるとともに、上述のように、支持具本体１０とカバー体２０との一体感が現出でき、美観性に優れたものとなる。
【００３８】
さらに、本実施形態では、上記カバー体２０の弾性係止体３０は、上記支持具本体１０の係止部１７，１７に対して、上記壁面ｗに略垂直となる方向に沿って係止する構造とされているので、上記したように、棚板２を支持具本体１０に固定支持させた後に、カバー体２０を支持具本体１０に組み付ける際にも、下方や斜め下方から係止させる態様とされたものと比べて、取付性が良く、組み付け性を向上させることができる。
さらにまた、本実施形態では、支持具本体１０の支持部を、棚板２の後端部２ａの上下面にそれぞれ当接し、該後端部２ａを挟むように支持する上辺部１１及び下辺部１３を有した支持部としているので、棚板２の固定支持が強固になされる。
【００３９】
また、上記下辺部１３の前端部の前壁部１４及び該前壁部１４に対応する上記カバー体２０の前カバー部２１には、相互の上下位置を位置決めし、互いに係合する係合凹溝１８、係合凸条２５がそれぞれ設けられているので、上記弾性係止体３０の一対の係止片３２，３２と上記係止突条１７，１７との係止に加えて、該下辺部１３の前端部とカバー体２０の前端部との係合によって、上記支持具本体１０への上記カバー体２０の装着が強固になされ、ずれたり、外れたりするようなことを防止できる。
特に、本実施形態では、上記係合凹溝１８は、上記支持具本体１０の下辺部１３の両外側部にも設けられており、また、それに対応するように、上記係合凸条２５は、上記カバー体２０の両内側部にも設けられているので、これら上記係合凹溝１８と係合凸条２５とは、上記したように、カバー体２０が支持具本体１０に装着される際の案内手段となり、組み付け性をより効果的に向上させることができる。
【００４０】
さらに、本実施形態では、上記弾性係止体３０の一対の係止片３２，３２は、上記支持具本体１０の係止突条１７，１７に対して、着脱自在に係止する構造とされているので、カバー体２０を容易に脱離させることができる。これにより、棚板２と棚板用支持具１とを容易に分離させることができ、分別廃棄等の際にも利便である。また、例えば、棚板２の取付け箇所を移動させたい場合にも、該棚板用支持具１を容易に脱離させて再利用できる。
【００４１】
尚、本実施形態に係る飾り棚Ａに用いられる棚板２としては、上記した木質系材料からなるものに限られず、例えば、合成樹脂系材料や金属系材料等としてもよく、或いはガラス等の透明性又は透光性を有した材料等としてもよい。
このように、棚板２が透明性を有する場合には、支持具本体１０の下辺部１３及び背部１２に木ねじｔｓ等の固定止具を止着させる態様に代えて、これらの部位に木ねじｔｓ等の固定止具を止着させない態様とすることが好ましい。例えば、上記支持具本体１０の取付片部１５の二箇所に木ねじｔｓを挿通するための挿通孔を形成するような態様としてもよい。また、棚板２の後端部２ａに木ねじｔｓをねじ込む態様に代えて、下辺部１３から上方に向けてネジ等によって移動される棚板挟持用の移動板等を設けるような態様としてもよい。
【００４２】
また、本実施形態では、矩形板状とされた棚板２を用いた例を示しているが、このような棚板に限られず、例えば、半円形状や三角形状、台形状等、どのような棚板にも本実施形態の適用が可能である。
さらに、本実施形態では、室内空間の左右方向に広がる一壁面ｗに対して棚板２を棚板用支持具１によって取付ける態様を例示しているが、例えば、扇形状や、三角形状、矩形状等の棚板を、室内空間のコーナー部（入隅部）に取付けるような態様としてもよい。この場合は、棚板用支持具１を、隣接する二壁面のそれぞれに取付け固定して棚板を固定支持させる態様としてもよい。
さらにまた、本実施形態では、飾り棚Ａの取付対象を、壁面ｗとした場合を例示しているが、例えば、間仕切壁や家具等を取付対象としてもよく、或いは壁面や家具等の取付面と、棚板の後端面との間に、比較的、大きな空間を設けたいような場合には、スペーサを取付面に固定し、該スペーサを取付対象として把握してもよい。
【００４３】
また、本実施形態では、２個一組の棚板用支持具１を水平方向に離間させた位置に配置した態様を例示しているが、棚板２の形状や大きさ等に合わせて、３個以上の棚板用支持具１を水平方向に離間させた位置に配置する態様としてもよく、或いは、１個のみの棚板用支持具１によって棚板を固定支持する態様としてもよい。または、棚板の左右方向の略全体に亘って棚板用支持具１が配置されるよう、比較的、幅広の棚板用支持具１としてもよい。この場合は、支持具本体１０の背部１２、下辺部１３及び取付片部１５の適所に木ねじｔｓ等の固定止具を挿通するための挿通孔を開設するようにすればよい。
【００４４】
さらに、本実施形態では、カバー体２０に弾性係止体３０を取付け固定し、該弾性係止体３０に係止する係止突条１７，１７を支持具本体１０に設けた態様を例示しているが、これらを逆にするようにしてもよい。すなわち、支持具本体１０に弾性係止体３０を取付け固定し、該弾性係止体３０に対応させた係止部をカバー体２０に設けるようにしてもよい。
さらにまた、本実施形態では、カバー体２０を支持具本体１０から容易に脱離できるように、上記係止突条１７，１７及び弾性係止体３０を構成しているが、容易に脱離がなされないように、上記係止突条１７，１７に上記弾性係止体３０が係止するような態様としてもよい。
また、本実施形態では、上記弾性係止体３０の一対の係止片３２，３２は、左右方向に弾性変形可能な態様としているが、上下方向に弾性変形可能な態様とし、これに合わせた係止部を支持具本体１０に設けるようにしてもよい。
【００４５】
さらに、本実施形態では、上記弾性係止体３０は、上記係止突条１７，１７に対して、上記壁面ｗに略垂直となる方向に沿って係止する構造とされているが、例えば、上下方向に沿って係止する、すなわち、壁面ｗに沿って係止するような態様としてもよい。或いは、斜め下方から上方に向けて係止するような態様としてもよい。
さらにまた、本実施形態では、上記下辺部１３の前端部の前壁部１４に係合凹溝１８を設け、該前壁部１４に対応する上記カバー体２０の前カバー部２１に係合凸条２５を設けた態様を例示しているが、これらを逆にそれぞれ設けるようにしてもよい。
また、これら係合凹溝１８及び係合凸条２５は、本実施形態では、カバー体２０及び支持具本体１０の相互の上下位置を位置決めするとともに、カバー体２０が支持具本体１０に装着される際の案内手段を構成する態様とされているが、例えば、下辺部の前端部及び該前端部に対応する前記カバー体の部位のいずれか一方に係合凸部を設け、他方に係合凹部を設けるような態様としてもよい。これによっても上下位置の位置決めは可能となる。或いは、これら係合凹溝１８及び係合凸条２５を設けずに、弾性係止体と係止部とによってカバー体を支持具本体に装着させる態様としてもよい。
【００４６】
さらに、本実施形態では、上記支持具本体１０の上辺部１１と下辺部１３とによって棚板２の後端部２ａを挟むように支持する態様を例示しているが、例えば、上辺部１１を設けずに、或いは上辺部１１及び背部１２を設けずに、下辺部１３を支持基台部として把握し、該支持基台部によって支持するような態様としてもよい。すなわち、図例の下辺部１３を支持基台部として把握し、該支持基台部１３と、該支持基台部１３の後端部から垂設された取付片部１５とによって、支持具本体１０を構成するような態様としてもよい。この場合は、棚板２の重量や棚板２に載置される載置物の許容荷重等に応じて、該棚板２の固定支持が可能なように上記支持基台部１３を、前後方向に比較的、長く形成し、適切な位置に、かつ適切な個数の木ねじｔｓ等の固定止具の挿通孔１３ａを設けるようにすればよい。
さらにまた、本実施形態では、上記支持具本体１０及びカバー体２０は、カバー体２０を支持具本体１０に装着させた状態では、該支持具本体１０の下辺部１３の前端面及び両側端面を含み、上記前壁部１４及び上記両側壁部１６，１６の外面並びに、上記取付片部１５の両側端面及び下端面に、上記カバー体２０の各内側面が当接或いは近接して位置するように装着され、これらを覆い隠すように隠蔽する構造とされた態様を例示しているが、このような態様に限られない。例えば、カバー体２０を支持具本体１０に装着させた状態で、支持具本体１０の取付片部１５の両側端面及び下端面の全体或いはこれらの一部が露出するような態様としたり、該支持具本体１０の下辺部１３の前端面及び両側端面の全体或いはこれらの一部が露出するような態様としたりしてもよい。
【図面の簡単な説明】
【００４７】
【図１】（ａ）〜（ｃ）は、いずれも本発明に係る棚板用支持具の一実施形態を模式的に示し、（ａ）は、概略側面図、（ｂ）は、（ａ）におけるＸ−Ｘ線矢視概略横断面図、（ｃ）は、概略斜視図である。
【図２】（ａ）、（ｂ）は、いずれも同棚板用支持具を模式的に示し、（ａ）は、概略正面図、（ｂ）は、（ａ）におけるＹ−Ｙ線矢視概略縦断面図である。
【図３】同棚板用支持具を模式的に示す一部分解概略側面図である。
【図４】（ａ）〜（ｄ）は、いずれも同棚板用支持具を模式的に示す分解図であり、（ａ）は、図３におけるＺ１から見た概略正面図、（ｂ）は、図３におけるＺ２から見た概略底面図、（ｃ）は、図３におけるＺ３から見た概略背面図、（ｄ）は、図３におけるＺ４から見た概略平面図である。
【図５】本発明に係る飾り棚の一実施形態を模式的に示す一部透過概略斜視図である。
【図６】同飾り棚が備える棚板の一例を模式的に示し、図５におけるＷ−Ｗ線矢視概略縦断面図である。
【符号の説明】
【００４８】
Ａ            飾り棚
１            棚板用支持具
２            棚板
２ａ          棚板の後端部（棚板の一端部）
３            棚板基材
３ａ          棚板基材の上面
３ｂ          棚板基材の下面
３ｃ          棚板基材の前端面
４            表面化粧シート（合成樹脂化粧シート）
１０          支持具本体
１１          上辺部（支持部）
１２          背部（支持部）
１３          下辺部（支持部）
１４          前壁部（下辺部の前端部）
１５          取付片部
１７          係止突条（係止部）
１８          係合凹溝（係合部）
２０          カバー体
２５          係合凸条（係合部）
３０          弾性係止体
ｔｓ          木ねじ（固定止具）
ｗ            壁面（取付対象）
【図１】
2010115381.tif 000003
【図２】
2010115381.tif 000004
【図３】
2010115381.tif 000005
【図４】
2010115381.tif 000006
【図５】
2010115381.tif 000007
【図６】
2010115381.tif 000008